(57)【特許請求の範囲】
【請求項１】
ソケットに挿入される挿入部を有する本体と、
本体に取り付けられるドーム状のカバーと、
前記カバー内に収容される、ＬＥＤ光源を備えるＬＥＤユニットと、を備え、
前記ソケットに前記挿入部が水平に、あるいは、上下に傾斜して取り付けられた場合に、前記ＬＥＤ光源が下向きとなるように、前記カバーおよび前記ＬＥＤユニットの各々が連動して回動可能であるＬＥＤ電球。
【請求項２】
請求項１に記載のＬＥＤ電球と、前記ＬＥＤ電球の前記挿入部が挿入されるソケットと、前記ＬＥＤ電球の前記本体を支持する部分および前記ソケットを支持する部分と、を備え、前記ＬＥＤ電球の前記挿入部が前記ＬＥＤ光源よりも上側に配置される照明器具。
【発明の詳細な説明】
【技術分野】
【０００１】
本発明は、ＬＥＤ電球および照明器具に関する。
【背景技術】
【０００２】
従来より、ＬＥＤ（Light Emitting Diode）電球による照明方向を変更できる照明器具が提案されている（例えば、特許文献１、２参照）。
【先行技術文献】
【特許文献】
【０００３】
【特許文献１】特開２００８−２５１４４４号公報（請求項１、段落００１２、００６０〜００６２）
【特許文献２】特開２００７−１２２８８号公報（請求項３、段落００２４、００８３）
【発明の概要】
【発明が解決しようとする課題】
【０００４】
しかしながら、従来の照明器具は、ＬＥＤ電球のソケットに対する挿入方向が水平、または斜め上方の場合、照明器具の下方を照明することはできなかった。
【０００５】
本発明は、前述した課題を解決するためになされたものであり、ＬＥＤ電球のソケットに対する挿入方向にかかわらず、常時、下方を照明できるＬＥＤ電球および照明器具を提供することにある。
【課題を解決するための手段】
【０００６】
本発明のＬＥＤ電球は、ソケットに挿入される挿入部を有する本体と、本体に取り付けられるドーム状のカバーと、カバー内に収容される、ＬＥＤ光源を備えるＬＥＤユニットと、を備え、ソケットに前記挿入部が水平に、あるいは、上下に傾斜して取り付けられた場合に、ＬＥＤ光源が下向きとなるように、カバーおよびＬＥＤユニットの各々が連動して回動可能である。
【０００７】
本発明の照明器具は、上記ＬＥＤ電球と、ＬＥＤ電球の挿入部が挿入されるソケットと、ＬＥＤ電球の本体を支持する部分およびソケットを支持する部分と、を備え、ＬＥＤ電球の挿入部がＬＥＤ光源よりも上側に配置される。
【発明の効果】
【０００８】
本発明によれば、ＬＥＤ電球の中心軸線の水平方向に対する上下方向の角度にかかわらず、常時、ＬＥＤ電源を下向きにできる。
また、本発明によれば、ソケットにおけるＬＥＤ電球の挿入方向にかかわらず、ＬＥＤ電球によって、照明器具の下方を照射できる。
【図面の簡単な説明】
【０００９】
【図１】本発明に係る実施形態のＬＥＤ電球を示す側面図
【図２】本発明に係る実施形態のＬＥＤ電球の構造を示す縦断面図
【図３】図２のＡ−Ａ断面図
【図４】図３のＢ部拡大図
【図５】本発明に係る実施形態の押さえ部材の第１突起および第２突起を示す斜視図
【図６】本発明に係る実施形態の本体の第３突起を示す斜視図
【図７】本発明の実施形態に係るカバーの切欠と、押さえ部材の第２突起との関係を説明する斜視図
【図８】本発明に係る実施形態の照明器具を示す縦断面図
【図９】（Ａ）は本発明に係る別の実施形態のＬＥＤユニットの溝を示す側面図、（Ｂ）は別の実施形態に係る突起を示す斜視図
【図１０】本発明に係る実施形態のＬＥＤユニットの回動不能範囲を説明する断面図
【図１１】本発明に係る別の実施形態のＬＥＤユニットの水平回動角度を９０度にした場合を示す側面図
【発明を実施するための形態】
【００１０】
以下、本発明に係る実施形態のＬＥＤ電球および照明器具について、図面を参照して説明する。
図１は、本発明に係る実施形態のＬＥＤ電球１を示す。このＬＥＤ電球１は、本体２と、本体２に取り付けられた半球ドーム状のカバー３とを備えている。本体２は、図２に示すように、電源装置４と、カバー３の反対側に設けられソケットに挿入される挿入部５と、電源装置４に電気的に接続されカバー３内に配置されたＬＥＤユニット７と、ＬＥＤユニット７におけるＬＥＤ光源８の周囲に設けられた反射部材９とを有している。
【００１１】
本実施形態では、ＬＥＤユニット７は、カバー３の内面と同一の直径を有する略円盤状に形成されている。ＬＥＤユニット７の上面７Ａおよび下面７Ｂは、互いに平行である。上面７Ａの直径は、下面７Ｂの直径より大である。また、上面７Ａおよび下面７Ｂの間には、上面７Ａおよび下面７Ｂより直径の大きな最大直径部７Ｃが設けられている。
【００１２】
これにより、ＬＥＤユニット７は、その外周面がカバー３の内面３Ａに当接した状態で移動自在である。なお、ＬＥＤ光源８は、ＬＥＤユニット７の下面７Ｂに設けられている。また、ＬＥＤユニット７の重量配分は、最大直径部７Ｃの直径線とＬＥＤユニット７の外周面との２つの交点を支持した状態で、最大直径部７Ｃの直径線が水平になるようにして空中に浮上させ、ＬＥＤユニット７が自重によって姿勢が調整されるようにしたときに、上面７Ａおよび下面７Ｂが水平に配置され、かつ上面７Ａが下面７Ｂより上に配置されるように設定されている。
【００１３】
このＬＥＤユニット７は、図３に示すように、カバー３の内面３Ａと、本体２の半球状の凹部２Ａ内に移動自在に収容されている。そして、後述のように、ＬＥＤ電球１の中心軸線Ｃ１を水平にした状態（図２参照）、または中心軸線Ｃ１を上下に傾斜させた状態（図８参照）で、ＬＥＤ光源８が常時下方を向くように構成されている。
【００１４】
図３に示すように、本体２とカバー３との間には、リング状の押さえ部材１０が挾まれている。また、図４に示すように、カバー３の端面３Ｂにはフランジ３Ｃが設けられ、本体２には、フランジ３Ｃを回動自在に把持する断面コ字状の把持部２Ｂが設けられている。カバー３は、本体２の把持部２Ｂによって、中心軸線Ｃ１を中心として、中心軸線Ｃ１と直交する面上で回動可能に把持されている。以下、この回動を垂直回動と呼ぶ。
【００１５】
また、図３に示すように、カバー３の内面３Ａと、ＬＥＤ電球１の中心軸線Ｃ１に対して直交するカバー３の中心線Ｃ２との交点上には、互いに１８０度離間した位置に、２個の半球状の突部１１Ａおよび突部１１Ｂが設けられている。
【００１６】
ＬＥＤユニット７の最大直径部７Ｃの外周面には、上面７Ａおよび下面７Ｂ（図２参照）と平行な環状の溝１２（図９（Ａ）参照）が設けられている。溝１２に２個の突部１１Ａおよび突部１１Ｂが挿入された状態では、ＬＥＤユニット７は、中心線Ｃ２を中心として、回動可能になる。以下、この回動を水平回動と呼ぶ。
【００１７】
図５に示すように、押さえ部材１０の内周面１０Ａには、ＬＥＤ電球１の中心軸線Ｃ１方向に延びる第１突起１０Ｂが設けられている。また、押さえ部材１０の外周面１０Ｃには、押さえ部材１０の外方に延びる第２突起１０Ｄが設けられている。第１突起１０Ｂと第２突起１０Ｄとは互いに対応する位置に設けられている。また、カバー３のフランジ３Ｃには、内周および外周に連通する切欠３Ｄが設けられている。
【００１８】
また、図６に示すように、本体２の把持部２Ｂには、凹部２Ａ内に突出する第３突起２Ｃが設けられている。図７に示すように、押さえ部材１０の第２突起１０Ｄは、カバー３の切欠３Ｄに挿入されている。これにより、カバー３は押さえ部材１０と同時に、中心軸線Ｃ１を中心として垂直回動する。なお、切欠３Ｄの円周方向の幅は、第２突起１０Ｄの円周方向の幅より広く形成されている。
【００１９】
カバー３が中心軸線Ｃ１を中心として時計方向に回転した場合には、押さえ部材１０の第１突起１０Ｂが、本体２の第３突起２Ｃの一方の側面に当接し、カバー３が半時計回転方向に回転した場合には、第１突起１０Ｂが第３突起２Ｃの反対の側面に当接する。これにより、カバー３の水平回動角度は、３６０度以下で、かつ３６０度に近い角度に制限されている。
【００２０】
このＬＥＤ電球１は、ＬＥＤユニット７の重量配分により、自由落下時にＬＥＤ光源８が必ず下向になること、カバー３が垂直回動可能であること、カバー３内のＬＥＤユニット７が水平回動可能であることから、中心軸線Ｃ１が水平の場合、上下に傾斜している場合には、ＬＥＤユニット７の向きが、水平（上面７Ａおよび下面７Ｂが水平）となると共に、ＬＥＤ光源８が下向となるように、自動的に調整される。
【００２１】
なお、図８に示すように、ＬＥＤユニット７の上面７Ａにおける中心部に、電源装置４から延びる電線１５が接続されている。従って、ＬＥＤユニット７が電線１５と干渉する方向に回動することはできないが、この回動不能範囲は本体２を照射する範囲に該当するので、照射不要な範囲であり、問題はない。また、回動不能範囲以外は、ＬＥＤユニット７が回動可能である。
【００２２】
また、図９（Ａ）に示すように、ＬＥＤユニット７の溝１２の断面形状をコ字状とし、図９（Ｂ）に示すように、カバー３の第１突部１１Ａまたは第２突部１１Ｂの一方または両方に、四角柱部１６を設けることにより、ＬＥＤユニット７の回動角度を９０度に制限できる。
【００２３】
すなわち、ＬＥＤユニット７が時計回転方向に回転したとき、溝１２の一方の内面１２Ａが四角柱部１６の一端面１６Ａに当接して、ＬＥＤユニット７の回動が停止され、この停止位置からＬＥＤユニット７が反時計回転方向に９０度回転したとき、溝１２の他方の内面１２Ｂが四角柱部１６の他端面１６Ｂに当接して、ＬＥＤユニット７の回転が停止される。これによって、図１０に示すように、ＬＥＤユニット７の水平回動角度が９０度に制限される。
【００２４】
図１１は、上記ＬＥＤ電球１を適用した天井埋込型の照明器具２０を示す。この照明器具２０は、上記ＬＥＤ電球１と、ＬＥＤ電球１の挿入部５を斜め下方から挿入することにより、挿入部５がＬＥＤ光源８より上にある状態で、ＬＥＤ電球１を保持するソケット２１と、ＬＥＤ電球１の本体２を支持すると共に、カバー３を覆う有底筒状のカバー部２３とを備えている。カバー部２３の下端部には、開口２３Ａが設けられている。この開口２３Ａには、透明部材２４が設けられている。
【００２５】
この照明器具２０は、ＬＥＤ電球１の挿入部５が、ソケット２１に斜め下方から挿入され、ＬＥＤ電球１の中心軸線Ｃ１が図１１中の右上がりに傾斜しているが、ＬＥＤユニット７が略水平になるように自動的に調整される。これにより、ＬＥＤユニット７のＬＥＤ光源８が、常時、下方を向くように調整され、ＬＥＤ光源８から放射された光によって照明器具２０の下方が照射される。
【００２６】
本実施形態のＬＥＤ電球１によれば、水平線に対する中心軸線Ｃ１の上下方向の傾斜角度にかかわらず、ＬＥＤユニット７のＬＥＤ光源８が、常時、下向きにできる。
【００２７】
また、本実施形態の照明器具２０によれば、ソケット２１におけるＬＥＤ電球１の挿入部５の挿入方向にかかわらず、ＬＥＤ電球１によって、照明器具２０の下方を照射できる。
【符号の説明】
【００２８】
１  ＬＥＤ電球
２  本体
２Ａ  凹部
２Ｂ  把持部
２Ｃ  第３突起
３  カバー
３Ａ  内面
３Ｂ  端面
３Ｃ  フランジ
３Ｄ  切欠
４  電源装置
５  挿入部
７  ＬＥＤユニット
７Ａ  上面
７Ｂ  下面
７Ｃ  最大直径部
８  ＬＥＤ光源
９  反射部材
１０  押さえ部材
１０Ａ  内周面
１０Ｂ  第１突起
１０Ｃ  外周面
１０Ｄ  第２突起
１１Ａ  突部
１１Ｂ  突部
１２  溝
１２Ａ  内面
１２Ｂ  内面
１５  電線
１６  四角柱部
１６Ａ  一端面
１６Ｂ  他端面
２０  照明器具
２１  ソケット
２３  カバー部
２３Ａ  開口
２４  透明部材
Ｃ１  中心軸線
Ｃ２  中心線
【図１】
0005506041.tif 000002
【図２】
0005506041.tif 000003
【図３】
0005506041.tif 000004
【図４】
0005506041.tif 000005
【図５】
0005506041.tif 000006
【図６】
0005506041.tif 000007
【図７】
0005506041.tif 000008
【図８】
0005506041.tif 000009
【図９】
0005506041.tif 000010
【図１０】
0005506041.tif 000011
【図１１】
0005506041.tif 000012